(57)【要約】【課題】接続部の固定、保護を図り、ＦＰＣの把持を確実にし、部品点数を減らす。【解決手段】両面に配線されたＦＰＣ／ＦＦＣ１の導体部３，３´をコネクタハウジング４内に配設された端子８，９とコンタクトさせる両面ＦＰＣ／ＦＦＣ用コネクタにおいて、前記ＦＰＣ／ＦＦＣ１のコネクタハウジング４の挿入口５から挿入され端子８，９と接続される少なくとも片面の導体部３を窓２Ａから露出させるように硬質な穴あき補強板２をＦＰＣ／ＦＦＣ１の先端に取り付け、この補強板２に形成された窓２Ａ内に一方の端子８を嵌まり込ませて導体部３にコンタクトさせるとともに、補強板２の抜け止めを図った。【選択図】図２
2007287380.tif 000002
【特許請求の範囲】
【請求項１】
両面に配線されたＦＰＣ／ＦＦＣの導体部をコネクタハウジング内に配設された端子とコンタクトさせる両面ＦＰＣ／ＦＦＣ用コネクタにおいて、
前記ＦＰＣ／ＦＦＣのコネクタハウジングの挿入口から挿入され端子と接続される少なくとも片面の導体部を窓から露出させるように硬質な穴あき補強板をＦＰＣ／ＦＦＣの先端に取り付け、
この補強板に形成された窓内に一方の端子を嵌まり込ませて導体部にコンタクトさせるとともに、補強板の抜け止めを図ったことを特徴とする両面ＦＰＣ／ＦＦＣ用コネクタ。
【請求項２】
前記補強板の両側に切欠きを形成し、この切欠きに係合する突起をコネクタハウジング内に形成したことを特徴とする請求項１に記載の両面ＦＰＣ／ＦＦＣ用コネクタ。
【発明の詳細な説明】
【技術分野】
【０００１】
本発明は、フレキシブルプリント回路基板（ＦＰＣ）やフレキシブルフラットケーブル（ＦＦＣ）を、コネクタハウジング内に配設されているコンタクト（端子）群に接続するコネクタに関する。
【背景技術】
【０００２】
ＦＰＣやＦＦＣ用のコネクタ（ＦＰＣ／ＦＦＣ用コネクタ）は従来いろいろなものが知られているが、ＦＰＣ／ＦＦＣ自体はその片面のみにランド群を有するものであり、両面にランド群を有するタイプは用いられていない。しかし、基板実装密度を大きくし、多極展開を可能にするには、ＦＰＣ／ＦＦＣを両面タイプとすることが望ましい。
【０００３】
そこで、ＦＰＣ／ＦＦＣを両面タイプとしたとき、該ＦＰＣ／ＦＦＣの表裏のランド群を基板側のコンタクト群に簡単確実に接続できる両面ＦＰＣ／ＦＦＣ用コネクタが開発された。これは、表裏両面に整列したランド群を有するＦＰＣ／ＦＦＣと、このＦＰＣ／ＦＦＣの挿入溝を有するコネクタハウジングと、このコネクタハウジングのＦＰＣ／ＦＦＣ挿入溝の上下にそれぞれ位置し、基板上に半田付けされる表面用コンタクト群と裏面用コンタクト群と、及びこの表面用コンタクト群と裏面用コンタクト群の一方を、コネクタハウジングのＦＰＣ／ＦＦＣ挿入溝に挿入されたＦＰＣ／ＦＦＣのランド群との非接触位置に弾性変形させるアクチュエータとを設けたものであって、このアクチュエータに、表面用コンタクト群と裏面用コンタクト群のいずれか一方を押圧してＦＰＣ／ＦＦＣのランド群との非接触位置に弾性変形させる押圧壁と、表面用コンタクト群と裏面用コンタクト群の他方を相対移動自在に嵌めた、押圧壁に設けた自由溝群とを形成したものである（特許文献１参照）。
【特許文献１】特許第３２２３４４７号公報（第２頁、図３）
【発明の開示】
【発明が解決しようとする課題】
【０００４】
特許文献１に記載の従来例では、通常の片面ＦＰＣ／ＦＦＣ用コネクタで使用される補強板を使用することができないので、挿入溝からコネクタハウジング内へ挿入されたＦＰＣ／ＦＦＣの先端側の接続部の固定、保護、ＦＰＣ／ＦＦＣ自体のハウジング内での把持が不十分であった。また、コネクタハウジング本体、端子（コンタクト）以外にＦＰＣ／ＦＦＣの挿入を容易にするためのアクチュエータを用いているため、部品点数の増加を免れなかった。
【０００５】
そこで、本発明は、接続部の固定や保護を図り、ＦＰＣ／ＦＦＣの把持を十分なものとし、挿入のための特別の用具を必要とせず、部品点数も減少させた両面ＦＰＣ／ＦＦＣ用コネクタを提供することを目的とするものである。
【課題を解決するための手段】
【０００６】
上述の目的を達成するため、本発明は、両面に配線されたＦＰＣ／ＦＦＣの導体部をコネクタハウジング内に配設された端子とコンタクトさせる両面ＦＰＣ／ＦＦＣ用コネクタにおいて、前記ＦＰＣ／ＦＦＣのコネクタハウジングの挿入口から挿入され端子と接続される少なくとも片面の導体部を窓から露出させるように硬質な穴あき補強板をＦＰＣ／ＦＦＣの先端に取り付け、この補強板に形成された窓内に一方の端子を嵌まり込ませて導体部にコンタクトさせるとともに、補強板の抜け止めを図ったものである。
【発明の効果】
【０００７】
本発明によれば、両面に配線されたＦＰＣ／ＦＦＣの導体部をコネクタハウジング内に配設された端子とコンタクトさせる両面ＦＰＣ／ＦＦＣ用コネクタにおいて、前記ＦＰＣ／ＦＦＣのコネクタハウジングの挿入口から挿入され端子と接続される少なくとも片面の導体部を窓から露出させるように硬質な穴あき補強板をＦＰＣ／ＦＦＣの先端に取り付け、この補強板に形成された窓内に一方の端子を嵌まり込ませて導体部にコンタクトさせるとともに、補強板の抜け止めを図ったので、穴あきの補強板により接続部の固定、保護を図ることができるとともに、両面ＦＰＣ／ＦＦＣの把持も十分なものとなる。また、補強板をコネクタハウジング内に挿入すると両側の切欠きにコネクタハウジング内部に形成された突起が係合するものにあっては、特別の用具を用いなくともＦＰＣ／ＦＦＣの挿入が容易となり、部品点数を減らすことができる。
【発明を実施するための最良の形態】
【０００８】
以下に、本発明の実施形態を図面を参照にして説明する。
【０００９】
図１において、ＦＰＣ（又はＦＦＣ）１の挿入端部側に窓２Ａをあけた穴あき補強板２を片面に取り付け、この窓２ＡからＦＰＣ１の片面側の導体部３を露出させている。この補強板２がコネクタハウジング４の挿入口５から挿入される。また、このコネクタハウジング４には電線６が内部に配設された端子８,９に接続してある。
【００１０】
図２は、ＦＰＣ１とコネクタハウジング４との接続前の側断面であり、ＦＰＣ１は、両面に配線されているので、導体部３の裏面にも導体部３´を形成し、両導体部３，３´の大半がカバーレイ７で被覆され、挿入される先端側はカバーレイ７を剥がして導体部３，３´に形成してある。前記コネクタハウジング４の内部に、電線６に接続された端子８,９を上下に配設してあり、一方の端子８が上面の導体部３に、他方の端子９が下面の導体部３´にそれぞれコンタクトする。
【００１１】
図３は、図２の状態からＦＰＣ１をコネクタハウジング４への挿入口５から挿入し、端子８，９と導体部３，３´とをコンタクトさせた状態を示す。前記補強板２には窓２Ａが形成され、この窓２Ａから導体部３が露出しているので、この露出した導体部３に端子８がコンタクトするためには、端子８が窓２Ａに嵌まり込むことになり、端子８の先端が窓２Ａの縁に対向するため、ＦＰＣ１が抜け出るのが防止される。前記補強板２は、ＦＰＣ１のように可撓性を有さず、硬質なものが使用され、接続部（端子８，９と導体部３，３´とのコンタクト部分）の固定と保護とを図っている。また、端子８が補強板２の窓２Ａに嵌まり込むことにより、ＦＰＣ１の把持も確実なものとなる。
【００１２】
図４及び図５は、前記補強板２の両側に切欠き２Ｂを形成し、コネクタハウジング４の内部にこの切欠き２Ｂと係合する突起１０を形成することにより、特別の用具を用いなくともＦＰＣ１を挿入し易くし、挿入後の安定と把持の確実性を図っている例を示すものである。
【００１３】
図６及び図７は、別の実施形態を示す断面であり、リジッド配線基板１１とＦＰＣ１とを電気的に接続した例を示す。この場合、リジッド配線基板１１に端子８，９の基部を半田付けなどにより固定し、コネクタハウジング４内にこれら端子８，９の先端側とＦＰＣ１の導体部３，３´とをコンタクトするものである。これらの例でも、上述した切欠き２Ｂと突起１０による嵌合を図ることが望ましい。
【００１４】
図８は、ＦＰＣ１の挿入端部側に取り付けられる補強板２の窓２Ａを複数形成した例を示し、複数の窓２Ａは複数の導体部３に対応して形成してある。この例では、１つの大きな窓２Ａを形成したものに比べて補強板２の強度が向上する。
【図面の簡単な説明】
【００１５】
【図１】本発明実施形態の斜視図。
【図２】接続前の側断面図。
【図３】接続状態の側断面図。
【図４】接続前の平断面図。
【図５】接続後の平断面図。
【図６】他の実施形態を示す断面図。
【図７】さらに別の実施形態を示す断面図。
【図８】補強板の窓を複数形成したものを示す平面図。
【符号の説明】
【００１６】
１    ＦＰＣ（ＦＦＣ）
２    補強板
２Ａ  窓
３，３´  導体部
４    コネクタハウジング
５    挿入口
８，９  端子
【図１】
2007287380.tif 000003
【図２】
2007287380.tif 000004
【図３】
2007287380.tif 000005
【図４】
2007287380.tif 000006
【図５】
2007287380.tif 000007
【図６】
2007287380.tif 000008
【図７】
2007287380.tif 000009
【図８】
2007287380.tif 000010